(57)【特許請求の範囲】
【請求項１】
水準器に視準される標尺であって、前記水準器と正対する面に第１傾斜方向判断部材が設けられ、前記正対する面と反対側の面に第２傾斜方向判断部材が設けられ、前記第１傾斜方向判断部材と前記第２傾斜方向判断部材はそれぞれ前記水準器の視準線に対する傾斜に対応して表示が変化する様構成された標尺。
【請求項２】
前記第１傾斜方向判断部材は垂直レンチキュラーであり、該垂直レンチキュラーは前記視準線に対して垂直な位置から前方に傾いた場合に第１垂直パターンが視認され、前記視準線に対して垂直な位置から後方に傾いた場合に第２垂直パターンが視認される様構成された請求項１に記載の標尺。
【請求項３】
前記第１傾斜方向判断部材は垂直レンチキュラーであり、該垂直レンチキュラーは前記視準線に対して垂直な位置を境に前後に傾斜した場合に表示する色が変化する様構成された請求項１に記載の標尺。
【請求項４】
前記垂直レンチキュラーは、前記視準線に対して垂直又は略垂直となった場合に視認される第３垂直パターンを更に有する様構成された請求項２に記載の標尺。
【請求項５】
前記第１傾斜方向判断部材は水平レンチキュラーであり、該水平レンチキュラーは前記視準線に対して直交する平面から鉛直軸心に対して時計回りに回転していた場合に第１水平パターンが視認され、前記平面から鉛直軸心に対して反時計回りに回転していた場合に第２水平パターンが視認される様構成された請求項１に記載の標尺。
【請求項６】
前記第１傾斜方向判断部材は、前記正対する面に描かれた数値と数値の間に設けられた請求項１に記載の標尺。
【請求項７】
前記第１傾斜方向判断部材は垂直レンチキュラー及び水平レンチキュラーであり、前記垂直レンチキュラーは前記視準線に対して垂直な位置から前方に傾いた場合に第１垂直パターンが視認され、前記視準線に対して垂直な位置から後方に傾いた場合に第２垂直パターンが視認される様構成され、前記水平レンチキュラーは前記視準線に対して直交する平面から鉛直軸心に対して時計回りに回転していた場合に第１水平パターンが視認され、前記平面から鉛直軸心に対して反時計回りに回転していた場合に第２水平パターンが視認される様構成され、前記水準器と正対する面に、前記垂直レンチキュラーと前記水平レンチキュラーが高さ方向に交互に設けられた請求項６に記載の標尺。
【請求項８】
前記第１傾斜方向判断部材は垂直水平レンチキュラーであり、該垂直水平レンチキュラーは前記視準線に対して垂直な位置から前方に傾いた場合に第１垂直パターンが視認され、前記視準線に対して垂直な位置から後方に傾いた場合に第２垂直パターンが視認されると共に、前記視準線に対して直交する平面から鉛直軸心に対して時計回りに回転していた場合に第１水平パターンが視認され、前記平面から鉛直軸心に対して反時計回りに回転していた場合に第２水平パターンが視認される様構成された請求項６に記載の標尺。
【請求項９】
前記第２傾斜方向判断部材は、前記反対側の面の一部に設けられた取外し可能なシート状であり、目線の高さに合わせて貼付けられる様構成された請求項１〜請求項８のうちのいずれか１項に記載の標尺。
【請求項１０】
請求項１〜請求項９のうちいずれか１項に記載の標尺を水準器で視準し、視準高さを読取る水準測量方法であって、前記標尺に向って前記水準器を水平方向に視準した状態で、第１傾斜方向判断部材の表示が変化する様前記標尺を所定の角度幅で前後方向に揺動させ、該標尺に描かれた数値が最小となる目盛りを視準高さとして読取る水準測量方法。
【発明の詳細な説明】
【技術分野】
【０００１】
本発明は、水準測量を行う為の標尺に関するものである。
【背景技術】
【０００２】
通常、高低差を測定する為の水準測量に於いては、測定目標地点に設置した標尺を作業者が水準器（レベル）で視準し、標尺に描かれた数値を目視で読取っていた。この時、標尺が水準器に正対し、且つ標尺が水準器の視準線に対して垂直である必要がある。
【０００３】
従来、標尺の値を読取る際には、水準器の視準線に対して標尺が垂直な位置を通る様、標尺側の作業者が標尺を前後方向に揺らし、水準器から視準する作業者が読取れる最も小さい数値を視準高さとしていた。標尺が視準線に対して前後方向に傾いていた場合には、実際の視準高さよりも大きい数値が読取られる為、最も小さい値を視準高さとして測定することで、標尺の目盛りの読み間違いを防止することができる。
【０００４】
然し乍ら、標尺が視準線に対して垂直な位置を通ったかどうかを判断する基準はなく、標尺を前後方向に揺らした際に、標尺が視準線に対して垂直な位置を通らない場合がある。この場合には、目盛りの最も小さい値が実際の視準高さとは異なった値となる為、目盛りの誤読が生じ、正確な視準高さを求めることができなかった。
【先行技術文献】
【特許文献】
【０００５】
【特許文献１】特開２０１３−２５００６８号公報
【発明の概要】
【発明が解決しようとする課題】
【０００６】
本発明は、視準線に対して垂直な位置を確実に通過させ、目盛りの誤読を防止する標尺を提供するものである。
【課題を解決するための手段】
【０００７】
本発明は、水準器に視準される標尺であって、前記水準器と正対する面に該水準器の視準線に対する傾斜に対応して表示が変化する傾斜方向判断部材が設けられた標尺に係るものである。
【０００８】
又本発明は、前記傾斜方向判断部材は垂直レンチキュラーであり、該垂直レンチキュラーは前記視準線に対して垂直な位置から前方に傾いた場合に第１垂直パターンが視認され、前記視準線に対して垂直な位置から後方に傾いた場合に第２垂直パターンが視認される様構成された標尺に係るものである。
【０００９】
又本発明は、前記傾斜方向判断部材は垂直レンチキュラーであり、該垂直レンチキュラーは前記視準線に対して垂直な位置を境に前後に傾斜した場合に表示する色が変化する様構成された標尺に係るものである。
【００１０】
又本発明は、前記傾斜方向判断部材が前記水準器と正対しない面に更に設けられた標尺に係るものである。
【００１１】
又本発明は、前記垂直レンチキュラーは、前記視準線に対して垂直又は略垂直となった場合に視認される第３垂直パターンを更に有する様構成された標尺に係るものである。
【００１２】
又本発明は、前記傾斜方向判断部材は水平レンチキュラーであり、該水平レンチキュラーは前記視準線に対して直交する平面から鉛直軸心に対して時計回りに回転していた場合に第１水平パターンが視認され、前記平面から鉛直軸心に対して反時計回りに回転していた場合に第２水平パターンが視認される様構成された標尺に係るものである。
【００１３】
又本発明は、前記傾斜方向判断部材は垂直レンチキュラー及び水平レンチキュラーであり、前記垂直レンチキュラーは前記視準線に対して垂直な位置から前方に傾いた場合に第１垂直パターンが視認され、前記視準線に対して垂直な位置から後方に傾いた場合に第２垂直パターンが視認される様構成され、前記水平レンチキュラーは前記視準線に対して直交する平面から鉛直軸心に対して時計回りに回転していた場合に第１水平パターンが視認され、前記平面から鉛直軸心に対して反時計回りに回転していた場合に第２水平パターンが視認される様構成され、前記水準器と正対する面に、前記垂直レンチキュラーと前記水平レンチキュラーが高さ方向に交互に設けられた標尺に係るものである。
【００１４】
更に又本発明は、前記傾斜方向判断部材は垂直水平レンチキュラーであり、該垂直水平レンチキュラーは前記視準線に対して垂直な位置から前方に傾いた場合に第１垂直パターンが視認され、前記視準線に対して垂直な位置から後方に傾いた場合に第２垂直パターンが視認されると共に、前記視準線に対して直交する平面から鉛直軸心に対して時計回りに回転していた場合に第１水平パターンが視認され、前記平面から鉛直軸心に対して反時計回りに回転していた場合に第２水平パターンが視認される様構成された標尺に係るものである。
【発明の効果】
【００１５】
本発明によれば、水準器に視準される標尺であって、前記水準器と正対する面に該水準器の視準線に対する傾斜に対応して表示が変化する傾斜方向判断部材が設けられたので、前記標尺が前記視準線に対して垂直な位置を通過しているかどうかを容易に判断することができ、前記標尺の目盛りの誤読が防止され、正確な視準高さを検出することができるという優れた効果を発揮する。
【図面の簡単な説明】
【００１６】
【図１】第１の実施例に係る水準測量を説明する概略図である。
【図２】第１の実施例に係る標尺の要部拡大図である。
【図３】（Ａ）は第１の実施例に係るレンチキュラーの視準線に対する傾きを示す説明図であり、（Ｂ）（Ｃ）は（Ａ）の各位置で視認される垂直パターンを示す説明図である。
【図４】第２の実施例に係る水準測量を説明する概略図である。
【図５】（Ａ）は第３の実施例に係るレンチキュラーの視準線に対する傾きを示す説明図であり、（Ｂ）〜（Ｄ）は（Ａ）の各位置で視認される垂直パターンを示す説明図である。
【図６】第４の実施例に係る視準線に対する標尺の傾きを説明する概略図である。
【図７】（Ａ）は第５の実施例に係る標尺の要部拡大図であり、（Ｂ）は（Ａ）の変形例を示す標尺の要部拡大図である。
【発明を実施するための形態】
【００１７】
以下、図面を参照しつつ本発明の実施例を説明する。
【００１８】
先ず、図１、図２、図３（Ａ）〜図３（Ｃ）に於いて、第１の実施例について説明する。
【００１９】
図１中、１は水準器（レベル）を示し、２は該水準器１を支持する三脚を示し、３は地面に立てられた標尺を示している。
【００２０】
該標尺３の前記水準器１と正対する面には、図２に示される様に、傾斜方向判断部材、例えば垂直レンチキュラー４が高さ方向全長に亘って設けられている。レンチキュラーは、見る角度によって絵柄（パターン）、或は色が変化する性質を有している。本実施例では、前記垂直レンチキュラー４は、前記水準器１の視準線５に垂直な方向に対して上方から視認した場合と、下方から視認した場合とで絵柄（パターン）が異なる様、或は色が変化する様作成されたレンチキュラーとなっている。尚、以下の説明では、パターンが変化する場合について説明する。
【００２１】
図３（Ａ）は、前記視準線５に対する前記垂直レンチキュラー４の傾きを示し、図３（Ｂ）、図３（Ｃ）は、その時前記水準器１から視認される前記垂直レンチキュラー４の拡大図を示している。
【００２２】
該垂直レンチキュラー４を上方から視認した場合、即ち前記標尺３が前方（前記水準器１に近接する方向）に傾斜していた場合には、該水準器１から前記標尺３を視準する作業者には、左下りの斜線パターンである第１垂直パターン６（図３（Ｂ）参照）が視認される。
【００２３】
又、前記垂直レンチキュラー４を下方から視認した場合、即ち前記標尺３が後方（前記水準器１から離反する方向）に傾斜していた場合には、該水準器１から前記標尺３を視準する作業者からは右下りの斜線パターンである第２垂直パターン７（図３（Ｃ）参照）が視認される。
【００２４】
前記第１垂直パターン６と前記第２垂直パターン７は、例えば前記第１垂直パターン６を黒、前記第２垂直パターン７を赤として色で区別される様になっていてもよい。尚、前記第１垂直パターン６と前記第２垂直パターン７は、図３（Ｂ）、図３（Ｃ）に示される斜線パターン以外のパターンでもよく、区別が容易となるパターン或は模様等が適宜設定される。
【００２５】
次に、図１を参照して本実施例の前記標尺３を用いた水準測量について説明する。
【００２６】
先ず、所定の地点に前記水準器１を設置し、目標地点に前記標尺３を立て、該標尺３の目盛りが設けられた面を前記水準器１に正対させる。
【００２７】
この状態で、一方の作業者が前記水準器１により前記標尺３に向って水平方向を視準し、他方の作業者が前記標尺３を所定の角度幅、例えば１０°〜２０°程度の幅で前後方向に揺動させる。
【００２８】
一方の作業者は、前記垂直レンチキュラー４が前記第１垂直パターン６から前記第２垂直パターン７、或は該第２垂直パターン７から前記第１垂直パターン６に変化するのを確認する。
【００２９】
この時、前記垂直レンチキュラー４が前記第１垂直パターン６のまま変化しない、或は前記第２垂直パターン７のまま変化しない場合には、一方の作業者は、他方の作業者に対し、視認されているパターンに応じてより前方に傾ける、或はより後方に傾ける等の指示を出す。
【００３０】
一方の作業者は、前記垂直レンチキュラー４のパターンが変化するのを確認すると、数値が最小となる前記標尺３の目盛りを視準高さとして読取る。
【００３１】
別の目標地点についても同様に、前記水準器１により数値が最小となる前記標尺３の目盛りを視準高さとして読取る。読取った２つの視準高さの差を求めることで２つの目標地点の高低差を求め、水準測量を終了する。
【００３２】
本実施例では、前記標尺３の高さ方向全長に亘って前記垂直レンチキュラー４を設け、前記視準線５に対して垂直な位置から前方に傾斜した場合と後方に傾斜した場合とで、前記垂直レンチキュラー４のパターンが前記第１垂直パターン６と前記第２垂直パターン７とで変化する様にしている。
【００３３】
従って、前記標尺３を揺動させた際に、該標尺３が前記視準線５に対して垂直な位置を通過しているかどうかを容易に判断することができるので、前記視準線５に対して垂直な位置を前記標尺３が確実に通過し、該標尺３の目盛りの誤読が防止され、正確な視準高さを検出することができる。
【００３４】
次に、図４に於いて、第２の実施例について説明する。
【００３５】
第２の実施例では、標尺３の水準器１の正対する面の垂直レンチキュラー４に加え、前記水準器１と正対しない面、即ち他方の作業者と正対する面にも、高さ方向全長に亘って垂直レンチキュラー８を設けている。尚、該垂直レンチキュラー８の構造は前記垂直レンチキュラー４と同様であるので説明を省略する。
【００３６】
前記垂直レンチキュラー８を設けたことで、他方の作業者からも、前記標尺３が視準線５に対して垂直な位置を通過したかどうかを判断することができるので、一方の作業者が指示を出す必要がなくなり、前記標尺３の目盛りの誤読を防止できると共に、作業性を向上させることができる。
【００３７】
尚、第２の実施例では、必ずしも前記垂直レンチキュラー８を前記標尺３の高さ方向全長に亘って設ける必要はなく、前記垂直レンチキュラー８は前記標尺３の一部に設けられるものであってもよい。
【００３８】
例えば、前記垂直レンチキュラー８を取外し可能なシート状とし、水準測量を行なう際に他方の作業者の目線の高さに合わせて前記垂直レンチキュラー８を貼付ける様にしてもよい。該垂直レンチキュラー８が目線の高さに設けられることで、常に同じ高さに設けられた該垂直レンチキュラー８を目視することができ、前記標尺３が前記視準線５に対して垂直な位置を通過したかどうかをより正確に判断することができる。
【００３９】
次に、図５に於いて、第３の実施例について説明する。
【００４０】
第３の実施例では、第１の実施例に於ける垂直レンチキュラー４に対して、第１垂直パターン６と第２垂直パターン７に加え、図５（Ｃ）に示される様な、標尺３（図１参照）が視準線５に対して垂直となった際に視認される第３垂直パターン９を設けている。尚、第３の実施例に於いても、前記第１垂直パターン６、前記第２垂直パターン７、前記第３垂直パターン９が傾きによって色が変化する様にしてもよい。
【００４１】
前記第１垂直パターン６、前記第２垂直パターン７とは異なったパターンの前記第３垂直パターン９が設けられることで、前記標尺３が前記視準線５に対して垂直な位置を通過したかどうかをより正確に判断することができ、より作業性を向上させることができる。
【００４２】
尚、前記第３垂直パターン９に所定の角度幅、例えば１°〜２°程度の幅を持たせ、該第３垂直パターン９が視認された時の目盛りの数値を読取る様にしてもよい。
【００４３】
次に、図６に於いて、第４の実施例について説明する。
【００４４】
第４の実施例では、標尺３に傾斜方向判断部材、例えば水平レンチキュラー１１が水平方向全長に亘って設けられている。該水平レンチキュラー１１は、前記標尺３の目盛りが設けられた面が、視準線５に直交する位置に対して右方向（図６中紙面に対して下側）から視認した場合と、左方向（図６中紙面に対して上側）から視認した場合とで、絵柄（パターン）が異なる様作成されたレンチキュラーとなっている。
【００４５】
即ち、前記標尺３が鉛直軸心に対して時計回り方向に回転していた場合には、第１水平パターン（図示せず）が視認され、前記標尺３が鉛直軸心に対して反時計回り方向に回転していた場合には、第２水平パターン（図示せず）が視認される様になっている。
【００４６】
水準測量の際には、一方の作業者が前記標尺３を視準した状態で、他方の作業者が該標尺３を回転させ、水平パターンの変化を見ることで、該標尺３の方向合わせを行うことができる。
【００４７】
第４の実施例では、前記標尺３に前記水平レンチキュラー１１を設けることで、前記標尺３の前記視準線５に直交する平面に対する回転の影響を除去することができ、より正確な目盛りの読取りを行うことができる。
【００４８】
次に、図７（Ａ）に於いて、第５の実施例について説明する。
【００４９】
第５の実施例では、標尺３の高さ方向に、垂直レンチキュラー４と水平レンチキュラー１１とを交互に設け、水準器１（図１参照）により前記標尺３を視準する際に、前記垂直レンチキュラー４と前記水平レンチキュラー１１とを同時に視認可能としている。
【００５０】
従って、一方の作業者は、前記標尺３が視準線５（図１参照）に対して垂直な位置を通過しているかどうか、及び前記標尺３が前記視準線５に直交する平面に対して回転しているかどうかを同時に判断することができ、目盛りの誤読が防止されると共に、作業性を向上させることができる。
【００５１】
又、図７（Ｂ）は、第５の実施例の変形例を示している。
【００５２】
該変形例では、前記垂直レンチキュラー４と前記水平レンチキュラー１１とを組合わせた垂直水平レンチキュラー１２を、前記標尺３の高さ方向に複数設けている。
【００５３】
該標尺３に設けるレンチキュラーを前記垂直水平レンチキュラー１２とすることで、一方の作業者が視認するレンチキュラーは１つでよく、より作業性を向上させることができる。
【００５４】
尚、上記した第１の実施例〜第５の実施例は単独で実施してもよく、複数の実施例を適宜組合わせてもよいのは言う迄もない。
【００５５】
又、第１の実施例〜第５の実施例では、傾斜方向判断部材としてレンチキュラーを用いているが、ホログラム等、視準方向により絵柄（パターン）が変更されるものであれば他のものであってもよい。
【００５６】
更に、目盛り自体を傾斜方向判断部材とし、前記標尺３自体を傾斜方向判断部材としてもよい。
【符号の説明】
【００５７】
１              水準器
３              標尺
４              垂直レンチキュラー
５              視準線
６              第１垂直パターン
７              第２垂直パターン
８              垂直レンチキュラー
９              第３垂直パターン
１１            水平レンチキュラー
１２            垂直水平レンチキュラー
【図１】
0006564279.tif 000002
【図２】
0006564279.tif 000003
【図３】
0006564279.tif 000004
【図４】
0006564279.tif 000005
【図５】
0006564279.tif 000006
【図６】
0006564279.tif 000007
【図７】
0006564279.tif 000008